(57)【要約】【課題】  従来と異なる新規な携帯型位置検出装置を提供する。【解決手段】  位置検出装置により現在位置（位置情報）を検出し、その位置情報を算出した時点の時刻情報をＩＣタグに書き込むとともに、そのＩＣタグ３０を窓部７を介して読取可能な状態とする。これにより、携帯電話が有するタグリーダを用いてＩＣタグ３０の情報を読み込み、その読み込んだ情報（客先名、要件及び時刻）を営業所のコンピュータに送信すれば、営業所のコンピュータに客先名、要件及び時刻が記憶されるので、容易に日報を作成することができる。【選択図】図１
2009168680.tif 000002
【特許請求の範囲】
【請求項１】
現在位置を検出する位置検出手段と、
時刻を計時する計時手段と、
情報を記憶する複数のＩＣタグと、
前記位置検出手段が検出した位置情報、及びこの位置情報が検出された時点に前記計時手段が計時した時刻情報を、前記ＩＣタグに書き込む書込手段と、
前記ＩＣタグに書き込まれている情報を外部に出力させる際に、出力対象となる情報が書き込まれているＩＣタグを外部から読取可能な位置に移動させる移動機構と
を備えることを特徴とする携帯型位置検出装置。
【請求項２】
前記移動機構は、前記複数のＩＣタグが装着されたベルト、及び前記ベルトを移動させる駆動手段を有して構成されていることを特徴とする請求項１に記載の携帯型位置検出装置。
【請求項３】
前記移動機構は、前記ＩＣタグが着脱可能に装着される複数の装着部が設けられた回転ドラム、及び前記回転ドラムを回転させる駆動手段を有して構成されていることを特徴とする請求項１に記載の携帯型位置検出装置。
【請求項４】
前記ＩＣタグ毎に既に書き込まれている地名情報、及びこれに付随する情報を表示させる第１表示手段と、
前記第１表示手段により表示される情報のいずれかをユーザが選択する際に、ユーザにより操作される第１選択手段とを備え、
前記書込手段は、前記第１選択手段が操作されて情報が選択されたときに、その選択された情報と、前記位置情報及び前記時刻情報とを前記ＩＣタグに書き込むことを特徴とする請求項１ないし３のいずれか１つに記載の携帯型位置検出装置。
【請求項５】
前記複数のＩＣタグの中から前記位置情報に対応する地名情報が既に書き込まれているＩＣタグを探し、このＩＣタグに既に書き込まれている地名情報、及びこれに付随する情報を表示させる第２表示手段と、
前記第２表示手段により表示された情報をユーザが選択する際に、ユーザにより操作される第２選択手段とを備え、
前記書込手段は、前記第２選択手段が操作されて情報が選択されたときに、その選択された情報と、前記位置情報及び前記時刻情報とを前記ＩＣタグに書き込むことを特徴とする請求項１ないし４のいずれか１つに記載の携帯型位置検出装置。
【発明の詳細な説明】
【技術分野】
【０００１】
本発明は、携帯型位置検出装置に関するもので、報告書（日報）作成装置に適用して有効である。
【背景技術】
【０００２】
例えば、特許文献１又は特許文献２に記載の携帯型位置検出装置では、ＧＰＳシステムを用いた現在位置検出装置により検出された位置情報及び検出時刻を一定時間毎に記録媒体に記録している。
【特許文献１】特開平１０−８２６５５公報
【特許文献２】特許第３７６６７３７号明細書
【発明の開示】
【発明が解決しようとする課題】
【０００３】
しかし、特許文献１に記載の発明では、日報を作成する際に携帯型位置検出装置に装着された記録媒体であるＩＣカードを携帯型位置検出装置から取り外し、その取り外したＩＣカードを日報作成装置に装着する必要があるので、作業が煩わしいという問題がある。
【０００４】
本発明は、上記点に鑑み、上記のような煩わしさを低減することを目的とする。
【課題を解決するための手段】
【０００５】
本発明は、上記目的を達成するために、請求項１に記載の発明では、現在位置を検出する位置検出手段と、時刻を計時する計時手段と、情報を記憶する複数のＩＣタグと、位置検出手段が検出した位置情報、及びこの位置情報が検出された時点に計時手段が計時した時刻情報を、ＩＣタグに書き込む書込手段と、ＩＣタグに書き込まれている情報を外部に出力させる際に、出力対象となる情報が書き込まれているＩＣタグを外部から読取可能な位置に移動させる移動機構とを備えることを特徴とする。
【０００６】
これにより、請求項１に記載の発明では、ＩＣタグに書き込まれた情報を外部に出力する際には、ＩＣタグを外部に露出させた後、例えば携帯電話等に設けられているＩＣタグリーダにてＩＣタグに書き込まれた情報を読み込ませればよい。
【０００７】
したがって、ＩＣタグを着脱すること無く容易にＩＣタグに書き込まれた情報を外部に出力することができるので、特許文献１に記載の発明のような煩わしさを低減することができる。
【０００８】
なお、請求項２に記載の発明では、移動機構は、複数のＩＣタグが装着されたベルト、及びベルトを移動させる駆動手段を有して構成されていることを特徴とするものである。
また、請求項３に記載の発明では、移動機構は、ＩＣタグが着脱可能に装着される複数の装着部が設けられた回転ドラム、及び回転ドラムを回転させる駆動手段を有して構成されていることを特徴とするものである。
【０００９】
請求項４に記載の発明では、ＩＣタグ毎に既に書き込まれている地名情報、及びこれに付随する情報を表示させる第１表示手段と、第１表示手段により表示される情報のいずれかをユーザが選択する際に、ユーザにより操作される第１選択手段とを備え、書込手段は、第１選択手段が操作されて情報が選択されたときに、その選択された情報と、位置情報及び時刻情報とをＩＣタグに書き込むことを特徴とする。
【００１０】
これにより、請求項４に記載の発明では、地名情報及びこれに付随する情報、並びに位置情報及び時刻情報をＩＣタグに書き込むことができるので、ＩＣタグに書き込まれた情報を用いて容易に日報等を作成することができる。
【００１１】
請求項５に記載の発明では、複数のＩＣタグの中から位置情報に対応する地名情報が既に書き込まれているＩＣタグを探し、このＩＣタグに既に書き込まれている地名情報、及びこれに付随する情報を表示させる第２表示手段と、第２表示手段により表示された情報をユーザが選択する際に、ユーザにより操作される第２選択手段とを備え、書込手段は、第２選択手段が操作されて情報が選択されたときに、その選択された情報と、位置情報及び時刻情報とをＩＣタグに書き込むことを特徴とする。
【００１２】
これにより、請求項５に記載の発明では、地名情報及びこれに付随する情報を選択することができるとともに、その選択された地名情報及びこれに付随する情報、並びに位置情報及び時刻情報をＩＣタグに書き込むことができるので、ＩＣタグに書き込まれた情報を用いて容易に日報等を作成することができる。
【発明を実施するための最良の形態】
【００１３】
本実施形態は、本発明に係る携帯型位置検出装置を営業活動報告書（日報）作成装置に適用したものあり、以下、本発明の実施形態を図面と共に説明する。
（第１実施形態）
１．図面の説明
図１は本実施形態に係る携帯型位置検出装置１の外観を示す斜視図であり、図２はＩＣタグ３０が装着された無端ベルト９の斜視図であり、図３（ａ）は窓枠１３及び読込・記録ヘッド１１を移動させるための移動機構を示す構成図であり、図３（ｂ）は、図３（ａ）の右側面図であり、図３（ｃ）は、図３（ａ）の左側面図である。
【００１４】
図４（ａ）は移動機構の特徴を示す正面図であり、図４（ｂ）は窓枠１３を移動させるための構成を示す図であり、図４（ｃ）は読込・記録ヘッド１１を移動させるための構成を示す図であり、図５は本実施形態に係る携帯型位置検出装置１の電気系の構成を示すブロック図である。
【００１５】
図６は情報更新用の制御を示すフローチャートであり、図７は初期化設定用の制御を示すフローチャートであり、図８は携帯型位置検出装置１の使用方法を示す概念図であり、図９は検索制御用のフローチャートであり、図１０は表示例を示す図である。
【００１６】
２．本実施形態に係る携帯型位置検出装置の構成
２．１．携帯型位置検出装置の概要
携帯型位置検出装置１は、位置検出装置２１（図５参照）により現在位置（以下、位置情報という。）を検出し、その位置情報を算出した時点の時刻情報及び位置情報をＩＣタグ３０（図２参照）に書き込むとともに、書き込みが実行されたＩＣタグ３０を外部に露出させるものである。
【００１７】
ここで、位置検出装置２１とは、携帯型位置検出装置１の現在位置を検出する位置検出手段であり、本実施形態では、複数個の衛星から送信電波を受信して現在位置を検出するＧＰＳシステムを採用している。
【００１８】
また、ＩＣタグ３０とは、書き込まれた情報を保持することができる記憶手段であり、本実施形態に係るＩＣタグ３０は、非接触状態で、保持している情報を送出可能である。
２．２．携帯型位置検出装置の機械的構造
携帯型位置検出装置１の筐体３は、図１に示すように、扁平立方体状に形成されたものであり、この筐体３の上面側には、情報を表示するための表示部５Ａ、及びユーザにより操作される操作部５Ｂが設けられ、一方、筐体３の上面前端側には、ＩＣタグ３０を露出さるための長穴状の窓部７が設けられている。
【００１９】
また、操作部５Ｂは、自動検索ボタン５Ｃ、手動検索ボタン５Ｄ、５Ｅ、位置情報書込ボタン５Ｆ、情報更新ボタン５Ｇ及び初期化ボタン５Ｈ等を有して構成されており、自動検索ボタン５Ｃは、位置検出装置２１により検出された位置情報に対応する地名情報が既に書き込まれているＩＣタグ３０を探し、このＩＣタグ３０に既に書き込まれている地名情報、及びこれに付随する情報を表示部５Ａに表示させるための手段である。
【００２０】
また、手動検索ボタン５Ｄ、５Ｅは、ＩＣタグ毎に既に書き込まれている地名情報、及びこれに付随する情報を表示部５Ａに表示させるための手段である。
なお、手動検索ボタン５Ｄは、現在、表示部５Ａに表示されている地名情報等が書き込まれているＩＣタグ３０より、検索方向前方側のＩＣタグ３０を検索するためのボタンであり、手動検索ボタン５Ｅは、現在、表示部５Ａに表示されている地名情報等が書き込まれているＩＣタグ３０より、検索方向後方側のＩＣタグ３０を検索するためのボタンである。
【００２１】
位置情報書込ボタン５Ｆは、現在、表示部５Ａに表示されている地名情報等が書き込まれているＩＣタグ３０に、位置検出装置２１により検出された位置情報、及びその位置情報を算出した時点の時刻情報を書き込むための書込指示手段である。
【００２２】
情報更新ボタン５Ｇは、ＩＣタグ３０に情報を書き込む場合、又は既にＩＣタグ３０に書き込まれている情報を変更する際に、書き込み対象ＩＣタグ３０を書き込み可能な位置（本実施形態では、ＩＣタグ３０を外部に露出させる位置）まで移動させる指示を行うための手段である。
【００２３】
初期化ボタン５Ｈは、複数個のＩＣタグ３０のいずれかを特定するための番号（以下、この番号を取付位置番号という。）と、取付位置番号にて特定されたＩＣタグ３０に書き込まれている情報との対応関係を示すデータテーブルの作成を指示するための手段である。
【００２４】
また、筐体３内には、図２に示すように、複数のＩＣタグ３０が表面に装着された無端ベルト９が設けられており、駆動ローラ９Ａは、電動モータ９Ｃ（図５参照）から動力を得て無端ベルト９を回転移動させる駆動手段であり、テンションローラ９Ｂは、駆動ローラ９Ａと離隔して配設され、無端ベルト９に所定の張力を付与するとともに、無端ベルト９の回転に従動して回転する円筒状のローラである。
【００２５】
ところで、テンションローラ９Ｂ内には、図４（ａ）に示すように、ＩＣタグ３０に記憶されている情報を読み取るとともに、ＩＣタグ３０に情報を書き込む読込・記録ヘッド（以下、ヘッドと略す）１１が配設されており、このヘッド１１は、テンションローラ９Ｂの回転軸と平行な方向（以下、この方向を軸方向という。）に移動することができる。
【００２６】
なお、ガイドレール１１Ａは、ヘッド１１を保持するヘッドホルダ１１Ｂを前後方向から挟むようにしてヘッドホルダ１１Ｂに摺接し、ヘッド１１の移動を案内するガイド手段である。
【００２７】
そして、ヘッドホルダ１１Ｂのうち軸方向両端側には、図４（ｃ）に示すように、ピアノ線等のヤング率の大きな材質からなるワイヤ１１Ｃが連結されており、このワイヤ１１Ｃは、図３（ａ）〜図３（ｃ）に示すように、無端ベルト９から軸方向両端側にずれた位置に配設されたヘッド駆動プーリ１１Ｄ、１１Ｅに掛け渡されている。
【００２８】
また、テンションローラ９Ｂの外側であって、テンションローラ９Ｂ及び無端ベルト９を挟んでヘッド１１と対応する位置には、図４（ａ）及び図４（ｂ）に示すように、軸方向に延びるように開口した長穴状の窓部７内を軸方向に変位する矩形枠（額縁）状の窓枠１３が設けられている。
【００２９】
なお、ガイドレール１３Ａは、窓枠１３を前後方向から挟むようにして窓枠１３に摺接し、窓枠１３の移動を案内するガイド手段である。
また、窓枠１３のうち軸方向両端側には、図４（ｂ）に示すように、ピアノ線等のヤング率の大きな材質からなるワイヤ１３Ｂ、及び不織布やフィルム等の膜状部材を蛇腹状としたカーテン１３Ｃが連結されている。
【００３０】
そして、ワイヤ１３Ｂは、図３（ａ）〜図３（ｃ）に示すように、無端ベルト９から軸方向両端側にずれた位置に配設された窓枠駆動プーリ１３Ｄ、１３Ｅに掛け渡されている。一方、カーテン１３Ｃの軸方向端部であって、窓枠１３との連結部と反対側の端部は、窓部７の軸方向端部に連結されている。
【００３１】
また、ヘッド駆動プーリ１１Ｄ及び窓枠駆動プーリ１３Ｄそれぞれは、図４（ａ）に示すように、駆動軸１５Ａの長手方向端部に装着されて駆動軸１５Ａから駆動力を得て回転し、駆動軸１５Ａは、ヘリカルギア１５Ｂ、１５Ｃを介して電動モータ１５Ｄにより駆動される。
【００３２】
なお、ヘッド駆動プーリ１１Ｅ及び窓枠駆動プーリ１３Ｅは、図３（ｃ）に示すように、同軸上に配置されてワイヤ１１Ｃ、１３Ｂの移動に連動して従動回転する。
このため、電動モータ１５Ｄが回転すると、ヘッド駆動プーリ１１Ｄと窓枠駆動プーリ１３Ｄとが同一回転速度で回転するため、ヘッド１１と窓枠１３とは、同期して同一の向きに平行移動する。
【００３３】
また、窓枠１３が移動すると、カーテン１３Ｃが窓枠１３の移動に連動して伸縮するので、窓部７は窓枠１３の部分のみが開口し、その他の部位はカーテン１３Ｃにて閉塞された状態となる。
【００３４】
２．３．携帯型位置検出装置の電器的構造（図５参照）
制御部２２は、図５に示すように、位置検出装置２１や表示部５Ａ等を制御する制御手段であり、この制御部２２は、ＣＰＵ、ＲＡＭ及びＲＯＭ等からなる周知のマイクロコンピュータにて構成されている。
【００３５】
また、入出力端子２３は、コンピュータ（図示せず。）等と携帯型位置検出装置１との間で情報の授受を行うためのインターフェースであり、時計２４は時刻を計時するための計時手段である。因みに、制御部２２及び表示部５Ａ等には、図示しないバッテリから電力が供給されている。
【００３６】
そして、ＩＣタグ３０に予め記憶されている地名情報及びこれに付随する情報は、入出力端子２３を介して外部のコンピュータにより書き込まれる。
なお、本実施形態では、携帯型位置検出装置１を営業活動報告書作成装置に適用するにあたり、訪問する客先毎に、客先名（地名情報）及びその要件、並びに客先の位置情報が、各ＩＣタグ３０毎に事前（客先訪問の前）に書き込まれている。
【００３７】
３．本実施形態に係る携帯型位置検出装置１の作動及びその特徴
３．１．情報更新
図６は、情報更新用の制御を示すフローチャートであり、この制御は携帯型位置検出装置１の電源スイッチ１Ａ（図１参照）が投入されると起動され、電源スイッチ１Ａが遮断されると停止する。
【００３８】
そして、情報更新用の制御が起動されると、先ず、操作部５Ｂから発せられる信号が読み込まれるとともに（Ｓ１）、情報更新ボタン５Ｇがオン状態であるか否か、つまり情報更新ボタン５Ｇが押下されたか否かが判定される（Ｓ３）。
【００３９】
このとき、情報更新ボタン５Ｇがオン状態でないと判定された場合には（Ｓ３：ＮＯ）、Ｓ１が再び実行され、情報更新ボタン５Ｇがオン状態であると判定された場合には（Ｓ３：ＹＥＳ）、取付位置番号１のＩＣタグ３０に書き込まれている情報及びこのＩＣタグ３０の取付位置番号を示す「１」が表示部５Ａに表示される（Ｓ５）。
【００４０】
なお、このときに表示される内容及び取付位置番号は、原則として、データテーブルに基づいて表示されるが、データテーブルが作成されていない場合には、取付位置番号１のＩＣタグ３０に書き込まれている情報が読み込まれて表示される。
【００４１】
次に、手動検索ボタン５Ｄ、５Ｅのいずれが押下されたか否かが判定され（Ｓ７）、手動検索（上矢印）ボタン５Ｄが押下されたと判定された場合には（Ｓ７：上矢印）、現在、表示部５Ａに表示されている内容が書き込まれているＩＣタグ３０の取付位置番号の一つ次の取付位置番号により特定されるＩＣタグ３０の情報が読み込まれるとともに（Ｓ９）、その読み込まれた情報及びこのＩＣタグ３０の取付位置番号が表示部５Ａに表示される（Ｓ１１）。
【００４２】
一方、手動検索（下矢印）ボタン５Ｅが押下されたと判定された場合には（Ｓ７：下矢印）、現在、表示部５Ａに表示されている内容が書き込まれているＩＣタグ３０の取付位置番号の一つ前の取付位置番号により特定されるＩＣタグ３０の情報が読み込まれるとともに（Ｓ１３）、その読み込まれた情報及びこのＩＣタグ３０の取付位置番号が表示部５Ａに表示される（Ｓ１５）。
【００４３】
そして、手動検索ボタン５Ｄ、５Ｅのいずれも押下されていないと判定された場合（Ｓ７：ＮＯ）、又はＳ１１もしくはＳ１５が実施されると、位置情報書込（ＯＫ）ボタン５Ｆが押下されたか否かが判定され（Ｓ１７）、位置情報書込ボタン５Ｆが押下されていないと判定された場合には（Ｓ１７：ＮＯ）、Ｓ１が再び実行される。
【００４４】
一方、位置情報書込ボタン５Ｆが押下されたと判定された場合には（Ｓ１７：ＹＥＳ）、現在、表示部５Ａに表示されている取付位置番号により特定されるＩＣタグ３０が情報書き込み可能な位置に移動させられ（Ｓ１９）、入出力端子２３を介して外部のコンピュータにより情報が書き込み可能な状態となる。
【００４５】
３．２．初期化作動
図７は、初期化用の制御を示すフローチャートであり、この制御は携帯型位置検出装置１の電源スイッチ１Ａが投入されると起動され、電源スイッチ１Ａが遮断されると停止する。
【００４６】
そして、初期化用の制御が起動されると、先ず、操作部５Ｂから発せられる信号が読み込まれるとともに（Ｓ２１）、初期化ボタン５Ｈがオン状態であるか否か、つまり初期化ボタン５Ｈが押下されたか否かが判定される（Ｓ２３）。
【００４７】
このとき、初期化ボタン５Ｈがオン状態でないと判定された場合には（Ｓ２３：ＮＯ）、Ｓ２１が再び実行され、初期化ボタン５Ｈがオン状態であると判定された場合には（Ｓ２３：ＹＥＳ）、無端ベルト９に取り付けられているＩＣタグ３０に書き込まれている情報が読み込まれ、データテーブルが作成されて記憶される（Ｓ２５）。
【００４８】
３．３．検索作動
３．３．１．自動検索（オートスキャン）の概要及び特徴
自動検索ボタン５Ｃがユーザにより押下されると、位置検出装置２１により現在の位置情報が検出されるとともに、検出された位置情報及びデータベースに基づいて、検出された位置情報に対応する客先名及びこれに付随する情報（例えば、「打ち合わせ」又は「新規挨拶」等の訪問の要件内容）が表示部５Ａに表示される。
【００４９】
そして、位置情報書込ボタン５Ｆがユーザにより押下されると、現在、表示部５Ａに表示されている客先名及び付随情報が書き込まれているＩＣタグ３０に、位置検出装置２１により現在の位置情報が検出された時に時計２４が計時した時刻が新たに書き込まれる。
【００５０】
なお、「位置検出装置２１により現在の位置情報が検出された時に時計２４が計時した時刻」とは、厳密に位置検出装置２１により現在の位置情報が検出され時に限定されるものではなく、位置検出装置２１により現在の位置情報が検出された時から位置情報書込ボタン５Ｆがユーザにより押下され時までの間に時計２４が計時した時刻をいう。
【００５１】
ところで、表示部５Ａに表示されている内容は、ヘッド１１にてＩＣタグ３０から読み込まれた情報であるので、ヘッド１１は、表示部５Ａに表示されている内容が書き込まれているＩＣタグ３０に対応する位置、つまり、表示部５Ａに表示されている内容が書き込まれているＩＣタグ３０の下方側に位置する。
【００５２】
このため、窓枠１３は、表示部５Ａに表示されている内容が書き込まれているＩＣタグ３０の上方側に位置することとなるので、表示部５Ａに表示されている内容が書き込まれているＩＣタグ３０が窓部７において、外部に露出した状態となる。
【００５３】
そして、位置情報書込ボタン５Ｆがユーザにより押下されると、現在、表示部５Ａに表示されている内容が書き込まれているＩＣタグ３０に、時計２４が計時した時刻等が書き込まれるので、外部に露出しているＩＣタグ３０は、ユーザの現在位置を示す位置情報及び位置情報が検出された時の時刻が書き込まれているＩＣタグ３０となる。
【００５４】
このとき、図８に示すように、携帯電話４０が有するタグリーダを用いて、ユーザが外部に露出されているＩＣタグ３０、つまりタグリーダにて読込可能な位置にあるＩＣタグ３０の情報を読み込み、その読み込んだ情報（客先名、要件及び時刻）を営業所のコンピュータに送信すれば、営業所のコンピュータに客先名、要件及び時刻が記憶されるので、容易に日報を作成することができ、特許文献１に記載の発明のような煩わしさを低減することができる。
【００５５】
３．３．２．手動検索の概要及び特徴
ユーザが手動検索ボタン５Ｄ、５Ｅを操作すると、複数のＩＣタグ３０それぞれに書き込まれている客先名等の情報が順次、表示部５Ａに表示される。
【００５６】
そして、特定の客先名等が表示された状態で、位置情報書込ボタン５Ｆがユーザにより押下されると、位置検出装置２１により現在位置の位置情報が検出されるとともに、現在、表示部５Ａに表示されている客先名及び付随情報が書き込まれているＩＣタグ３０に、その検出された位置情報、及び位置検出装置２１により位置情報が検出された時に時計２４が計時した時刻が新たに書き込まれる。
【００５７】
このとき、自動検索時と同様に、時刻等が書き込まれたＩＣタグ３０が外部に露出されているので、携帯電話４０が有するタグリーダを用いて、ユーザが外部に露出されているＩＣタグ３０、つまりタグリーダにて読込可能な位置にあるＩＣタグ３０の情報を読み込み、その読み込んだ情報（客先名、要件及び時刻）を営業所のコンピュータに送信すれば、営業所のコンピュータに客先名、要件及び時刻が記憶されるので、容易に日報を作成することができ、特許文献１に記載の発明のような煩わしさを低減することができる。
【００５８】
３．３．３．その他
自動検索又は手動検索にて時刻等をＩＣタグ３０に書き込んだときに、その情報を営業所に送信しなかった場合には、先ず、手動検索ボタン５Ｄ、５Ｅを用いて時刻等が既に書き込まれた客先名が記憶されているＩＣタグ３０を検索する。
【００５９】
このとき、上述したように、表示部５Ａに表示されている内容が書き込まれているＩＣタグ３０が窓部７において、外部に露出した状態となるので、送信対象となる客先名等を表示部５Ａに表示した状態で、ユーザが外部に露出されているＩＣタグ３０の情報を読み込んで営業所に情報を送信すれば、時刻等を書き込む際に営業所に客先名及び時刻を送信していなかった場合であって、容易に後で日報を作成することができる。
【００６０】
３．４．検索作動の詳細
図９は、検索作動の詳細を示すフローチャートであり、この制御は携帯型位置検出装置１の電源スイッチ１Ａが投入されると起動され、電源スイッチ１Ａが遮断されると停止する。
【００６１】
そして、源スイッチ１Ａが投入されると、先ず、操作部５Ｂから発せられる信号が読み込まれるとともに（Ｓ３１）、自動検索ボタン５Ｃ又は位置情報書込ボタン５Ｆがオン状態であるか否かが判定され（Ｓ３３）、オン状態であると判定された場合には（Ｓ３３：ＹＥＳ）、位置検出装置２１により検出された現在の位置情報及び時計２４が計時した時刻が読み込まれる（Ｓ３５、Ｓ３７）。
【００６２】
このとき、位置情報の読込ができたか否かが判定され（Ｓ３９）、位置情報の読込ができなかったと判定された場合には（Ｓ３９：ＮＯ）、所定時間（本実施形態では、１０秒間）は、位置情報の読込が試みられるとともに、その旨の表示がされ、所定時間が経過した時点で位置情報の読込ができなかったときには、その旨の表示がされるとともに、Ｓ３１が再び実行される（Ｓ４１）。
【００６３】
また、位置情報の読込ができたと判定された場合には（Ｓ３９：ＹＥＳ）、検索作動の準備中である旨が表示された後（Ｓ４３）、自動検索ボタン５Ｃが押下されたか否かが判定される（Ｓ４５）。
【００６４】
このとき、自動検索ボタン５Ｃが押下されたと判定された場合には（Ｓ４５：ＹＥＳ）、検出された位置情報及びデータベースに基づいて、検出された位置情報に対応する客先名及びこれに付随する情報が記憶されているデータベースから読み込まれるとともに（Ｓ４７）、特定されたＩＣタグ３０の取付位置番号及びそのＩＣタグ３０に書き込まれている情報（客先名及びこれに付随する情報）が表示される（Ｓ４９）。
【００６５】
なお、検出された位置情報に対応する情報が複数件あるときには、複数件の取付位置番号及びそのＩＣタグ３０に書き込まれている情報（客先名及びこれに付随する情報）が表示される（図１０参照）。
【００６６】
また、自動検索ボタン５Ｃが押下されていないと判定された場合には（Ｓ４５：ＮＯ）、表示部５ＡにいずれかのＩＣタグ３０に書き込まれている情報が表示されているか否かが判定される（Ｓ５１）。
【００６７】
このとき、情報が表示されていないと判定された場合には（Ｓ５１：ＮＯ）、位置情報等の書き込みを行うべきＩＣタグ３０が未だ特定されていない旨が表示された後（Ｓ５５）、Ｓ３１が再び実行される。
【００６８】
一方、情報が表示されていると判定された場合には（Ｓ５１：ＹＥＳ）、現在、表示部５Ａに表示されている内容が書き込まれているＩＣタグ３０が、書込及び読込可能な位置、つまりＩＣタグ３０が外部に露出した位置に移動させられた後、位置検出装置２１により現在の位置情報及び時計２４が計時した時刻が新たに書き込まれる（Ｓ５３）。
【００６９】
また、Ｓ３３にて自動検索ボタン５Ｃ及び位置情報書込ボタン５Ｆのいずれもオン状態でないと判定された場合には（Ｓ３３：ＮＯ）、手動検索ボタン５Ｄ、５Ｅのいずれが押下されたか否かが判定され（Ｓ５７）、いずれかが押下されたと判定された場合には（Ｓ５７：ＹＥＳ）、いずれの手動検索ボタン５Ｄ、５Ｅが押下されたかが判定される（Ｓ５９）。
【００７０】
そして、手動検索（上矢印）ボタン５Ｄが押下されたと判定された場合には（Ｓ５９：上矢印）、現在、表示部５Ａに表示されている内容が書き込まれているＩＣタグ３０の取付位置番号の一つ次の取付位置番号により特定されるＩＣタグ３０の情報が読み込まれるとともに（Ｓ６１）、その読み込まれた情報及びこのＩＣタグ３０の取付位置番号が表示部５Ａに表示された後（Ｓ６３）、Ｓ３１が再び実行される。
【００７１】
一方、手動検索（下矢印）ボタン５Ｅが押下されたと判定された場合には（Ｓ５９：下矢印）、現在、表示部５Ａに表示されている内容が書き込まれているＩＣタグ３０の取付位置番号の一つ前の取付位置番号により特定されるＩＣタグ３０の情報が読み込まれるとともに（Ｓ６５）、その読み込まれた情報及びこのＩＣタグ３０の取付位置番号が表示部５Ａに表示された後（Ｓ６７）、Ｓ３１が再び実行される。
【００７２】
なお、手動検索ボタン５Ｄ、５Ｅのいずれも押下されていないと判定された場合に（Ｓ５７：ＮＯ）、Ｓ３１が再び実行される。
４．発明特定事項と実施形態との対応関係
本実施形態では、位置検出装置２１が特許請求の範囲に記載された位置検出手段に相当し、時計２４が特許請求の範囲に記載された計時手段に相当し、ヘッド１１、位置情報書込ボタン５Ｆ及び制御部２２が特許請求の範囲に記載された書込手段に相当し、窓部７、窓枠１３、窓枠駆動プーリ１３Ｄ及び電動モータ１５Ｄ等により特許請求の範囲に記載された移動機構が構成されている。
【００７３】
また、手動検索ボタン５Ｄ、５Ｅが特許請求の範囲に記載された第１表示手段に相当し、自動検索ボタン５Ｃが特許請求の範囲に記載された第２表示手段に相当し、位置情報書込ボタン５Ｆが特許請求の範囲に記載された第１選択手段又は第２選択手段に相当する。
【００７４】
（第２実施形態）
第１実施形態では、無端ベルト９にＩＣタグ３０を装着し、無端ベルト９及び窓枠１３を移動させて、出力対象となる情報が書き込まれているＩＣタグを外部に露出させたが、本実施形態は、図１１に示すように、回転ドラム１７にＩＣタグ３０を装着するための装着部１７Ａを回転ドラム１７の外周部に複数設けるとともに、回転ドラム１７を電動モータ（図示せず。）にて回転させて、出力対象となる情報が書き込まれているＩＣタグを窓部７から外部に露出させるものである。
【００７５】
そして、装着部１７Ａは、回転ドラム１７の外周部に円周方向に沿って複数設けられているとともに、回転ドラム１７に対して回転軸方向からＩＣタグ３０が着脱可能となっている。さらに、回転ドラム１７は、筐体３（携帯型位置検出装置１）から着脱可能となっている。
【００７６】
また、ヘッド１１は、筐体３に対して固定されており、位置情報書込ボタン５Ｆがユーザにより押下されると、ヘッド１１と対向する位置にあるＩＣタグ３０、つまり、現在、表示部５Ａに表示されている客先名及び付随情報が書き込まれているＩＣタグ３０に、時計２４が計時した時刻等が新たに書き込まれる。
【００７７】
そして、時刻等の書き込みが終了すると、回転ドラム１７が回転して書き込みが実行されたＩＣタグ３０が窓部７の位置まで移動し、そのＩＣタグ３０が窓部７から外部に露出される。
【００７８】
なお、窓部７は、通常時は、開閉シャッタ（図示せず。）により閉じられており、窓開閉ボタン５Ｇがユーザにより操作されたときに開かれる。そして、開閉シャッタが開いている状態で窓開閉ボタン５Ｇがユーザにより操作されると、窓部７が開閉シャッタにより閉じられる。
【００７９】
因みに、本実施形態では、窓部７、回転ドラム、電動モータ９Ｃ及び制御部２２等により特許請求の範囲に記載された移動機構が構成されている。
（その他の実施形態）
上述の実施形態では、衛星からの送信電波を用いて位置情報を取得したが、本発明はこれに限定されるものではなく、その他の手法により位置情報を取得してもよい。
【００８０】
また、本発明は、特許請求の範囲に記載された発明の趣旨に合致するものであればよく、上述の実施形態に限定されるものではない。
なお、携帯電話等の情報を送信可能な端末機が、位置検出装置、ＩＣタグ３０相当の記憶手段、及び時計機能等を備えていれば、その端末機にて本発明と同等な機能を得ることができる。
【００８１】
また、上述の実施形態では、窓部７が長方形状であったため、カーテン１３Ｃにより特定されたＩＣタグ３０以外を覆い隠したが、本発明はこれに限定されるものではなく、例えば、カーテン１３Ｃを廃止し、特定されたＩＣタグ３０に対応する部位に設けられたＬＥＤ等の発光部を点滅又は点灯させてもよい。
【図面の簡単な説明】
【００８２】
【図１】本発明の第１実施形態に係る携帯型位置検出装置１の外観を示す斜視図である。
【図２】ＩＣタグ３０が装着された無端ベルト９の斜視図である。
【図３】（ａ）は窓枠１３及び読込・記録ヘッド１１を移動させるための移動機構を示す構成図であり、（ｂ）は、図３（ａ）の右側面図であり、（ｃ）は、図３（ａ）の左側面図である。
【図４】（ａ）は移動機構の特徴を示す正面図であり、（ｂ）は窓枠１３を移動させるための構成を示す図であり、（ｃ）はヘッド１１を移動させるための構成を示す図である。
【図５】本実施形態に係る携帯型位置検出装置１の電気系の構成を示すブロック図である。
【図６】情報更新用の制御を示すフローチャートである。
【図７】初期化設定用の制御を示すフローチャートである。
【図８】携帯型位置検出装置１の使用方法を示す概念図である。
【図９】検索制御用のフローチャートでる。
【図１０】表示部５Ａの表示例を示す図である
【図１１】本発明の第１実施形態に係る携帯型位置検出装置１の外観（一部、断面）を示す斜視図である。
【符号の説明】
【００８３】
１…携帯型位置検出装置、３…筐体、５Ａ…表示部、５Ｂ…操作部、
５Ｃ…自動検索ボタン、５Ｄ…手動検索ボタン、５Ｅ…手動検索ボタン、
５Ｆ…位置情報書込ボタン、７…窓部、９…無端ベルト、９Ａ…駆動ローラ、
９Ｂ…テンションローラ、９Ｃ…電動モータ、１１…ヘッド、
１１…読込・記録ヘッド、１１Ａ…ガイドレール、１１Ｂ…ヘッドホルダ、
１１Ｃ…ワイヤ、１１Ｄ…ヘッド駆動プーリ、１３…窓枠、１３Ａ…ガイドレール、
１３Ｂ…ワイヤ、１３Ｃ…カーテン、１３Ｄ…窓枠駆動プーリ、１５Ａ…駆動軸、
１５Ｂ…ヘリカルギア、１５Ｄ…電動モータ、１７…回転ドラム、１７Ａ…装着部、
２１…位置検出装置、２２…制御部、２３…入出力端子、２４…時計、
３０…ＩＣタグ、４０…携帯電話。
【図１】
2009168680.tif 000003
【図２】
2009168680.tif 000004
【図３】
2009168680.tif 000005
【図４】
2009168680.tif 000006
【図５】
2009168680.tif 000007
【図６】
2009168680.tif 000008
【図７】
2009168680.tif 000009
【図８】
2009168680.tif 000010
【図９】
2009168680.tif 000011
【図１０】
2009168680.tif 000012
【図１１】
2009168680.tif 000013